(57)【要約】【課題】複数の通信用回線を収容可能な主装置部に対して無線接続されて通信を行なうものであって、電池により駆動される無線通信端末として、消費電力が少ないものを提供する。【解決手段】少なくとも複数の通信用回線のそれぞれを対応設定させることが可能であって、それぞれ発光素子６２が対応して設けられている複数個の操作ボタン６１と、当該複数の操作ボタン６１のそれぞれに対応する複数個のシンボル６３を表示画面３１５Ｄに表示する表示手段とを備える。少なくとも通信用回線が対応設定されている複数個の操作ボタン６１について、発光素子６２の発光態様により通信用回線の回線状態を表示する第１の表示モードとするか、表示画面に表示されるシンボル６３の表示態様により通信用回線の回線状態を表示する第２の表示モードとするかを切り替える表示モード切替手段を備える。【選択図】図５
2006270484.tif 000002
【特許請求の範囲】
【請求項１】
複数の通信用回線を収容可能な主装置部に対して無線接続されて通信を行なうものであって、電池により駆動される無線通信端末において、
少なくとも前記複数の通信用回線のそれぞれを対応設定させることが可能であって、それぞれ発光素子が対応して設けられている複数個の操作ボタンと、
前記複数の操作ボタンのそれぞれに対応する複数個のシンボルを表示画面に表示する表示手段と、
少なくとも前記通信用回線が対応設定されている前記複数個の操作ボタンについて、前記発光素子の発光態様により前記通信用回線の回線状態を表示する第１の表示モードとするか、前記表示画面に表示される前記シンボルの表示態様により前記通信用回線の回線状態を表示する第２の表示モードとするかを切り替える表示モード切替手段と、
前記主装置部から前記複数の通信用回線の状態の変化に関する情報を受信して解析し、前記複数の通信用回線のうち、状態の変化があった通信用回線を知ると共に、変化後の状態を検知する回線状態検知手段と、
前記表示モード切替手段による切り替えに応じた前記第１の表示モードまたは前記第２の表示モードのいずれかにより、前記回線状態検知手段で検知された前記状態の変化があった通信用回線および前記変化後の回線状態を表わすように表示制御する制御手段と
を備える無線通信端末。
【請求項２】
請求項１に記載の無線通信端末において、
前記電池の充電中か否かを判別する充電中判別手段を備え、
前記表示モード切替手段は、前記充電中判別手段で前記電池の充電中であると判別したときには、前記第１の表示モードで前記通信用回線の回線状態を表示するように切り替え、前記充電中判別手段で前記電池の充電中ではないと判別したときには、前記第２の表示モードで前記通信用回線の回線状態を表示するように切り替える
ことを特徴とする無線通信端末。
【請求項３】
請求項１に記載の無線通信端末において、
前記電池の残量が所定値以上であるか否かを判別する電池残量判別手段を備え、
前記表示モード切替手段は、前記電池残量判別手段で前記電池の残量が前記所定値以上であると判別したときには、前記第１の表示モードで前記通信用回線の回線状態を表示するように切り替え、前記電池残量判別手段で前記電池の残量が前記所定値以上ではないと判別したときには、前記第２の表示モードで前記通信用回線の回線状態を表示するように切り替える
ことを特徴とする無線通信端末。
【請求項４】
請求項１に記載の無線通信端末において、
前記第１の表示モードと、前記第２の表示モードのいずれかを、ユーザの設定入力に応じて設定する表示モード設定手段を備え、
前記表示モード切替手段は、前記表示モード設定手段の設定内容に応じて、前記第１の表示モードと、前記第２の表示モードとのいずれかに切り替える
ことを特徴とする無線通信端末。
【発明の詳細な説明】
【技術分野】
【０００１】
この発明は、例えば、いわゆるビジネスホンの電話端末に適用して好適なものであり、特に、無線ＬＡＮを用いて主装置部と無線接続される無線通信端末に関する。
【背景技術】
【０００２】
ビジネスホンとしてボタン電話システムが普及している。このボタン電話システムに用いられているボタン電話端末は、一般に、ダイヤル用のテンキーの他、主装置部が収容する複数の電話回線のそれぞれに対応して設定される複数個の外線キーや、各種機能などを自由に設定可能な複数個の機能キーなどの複数個の操作キー（以下、この操作キーをフレキシブルキーという）を備える。
【０００３】
そして、ボタン電話端末においては、フレキシブルキーの内部にＬＥＤ（Ｌｉｇｈｔ  Ｅｍｉｔｔｉｎｇ  Ｄｉｏｄｅ；発光ダイオード）をそれぞれ備えた自照式としたり、それぞれのフレキシブルキーの近傍にＬＥＤを配置したりして、その使用状態を、ＬＥＤの点灯、消灯、点滅、発光色などにより、区別して表示するようにしている。
【０００４】
例えば、外線が設定されたフレキシブルキー（外線ボタン）の場合であれば、対応する電話回線の使用中、空き、保留中、着信中などの回線状態を、ＬＥＤの点灯、消灯、点滅、発光色などにより、区別して表示することにより、これらの外線ボタンを操作して、対応する電話回線の捕捉などをするユーザのサポートをするようにしている（例えば特許文献１（特開昭６４−８２７３２号公報）、特許文献２（特開昭６３−２４２０９６号公報）、特許文献３（特開平５−２２７２６３号公報）等参照）。
【０００５】
上記の特許文献は、次の通りである。
【特許文献１】特開昭６４−８２７３２号公報
【特許文献２】特開昭６３−２４２０９６号公報
【特許文献３】特開平５−２２７２６３号公報
【発明の開示】
【発明が解決しようとする課題】
【０００６】
ところで、無線ＬＡＮ（Ｌｏｃａｌ  Ａｒｅａ  Ｎｅｔｗｏｒｋ）を利用して、上述のようなビジネスホンシステムを構築する試みがなされている。この無線ＬＡＮを利用するビジネスホンで用いる無線電話端末としての無線通信端末は、電池で動作するものとなるが、この無線電話端末に、従来と同様にして複数のフレキシブルキーおよびＬＥＤを設けると、次のような問題が生じる。
【０００７】
ＬＥＤの消費電力は比較的大きく、複数個のフレキシブルキーに対応して複数個を設けると、その数だけ消費電力が増加し、電池の消耗が大きく、長時間待機することができない。特に、フレキシブルキーが外線ボタンの場合、一般に、他の端末が使用中であることは、ＬＥＤの点灯により表示するようにしており、自端末が使用されていなくても、他の端末が使用されることで、ＬＥＤが点灯し、電力を消費してしまうので、充電無しで使用可能な時間が非常に短くなってしまうという問題がある。
【０００８】
前述の特許文献３の場合には、何等かのトリガーによりＬＥＤを点灯表示させ、一定時間経過後に消灯することで、消費電力の低減を図る方法が示されている。この特許文献３の方法を適用すれば、無線電話端末を使用しないときはＬＥＤを消灯して電力を無駄に消費しないようにすることできる。
【０００９】
しかしながら、特許文献３の方法では、実際に使用するときには、何か操作し、通信をすることで、最新の回線状態等を得て更新しないと、そのときの実際の回線状態等が確認できないという問題がある。このため、外線ボタンに対応する他端末の使用表示が正しく行なわれておらず、使用しようと思った外線ボタンを押したら、他端末により使用中であったという事態が発生するおそれがある。
【００１０】
また、特許文献１の場合には、ＬＥＤの表示態様による表示だけでは、回線状態が判りにくい点を改善するために、ＬＣＤ（Ｌｉｑｕｉｄ  Ｃｒｙｓｔａｌ  Ｄｉｓｐｌａｙ；液晶ディスプレイ）にも文字表示して、両表示の併用により、回線状態をわかりやすく表示することが記載されているが、この特許文献２の方法は、ＬＥＤ表示と、ＬＣＤ表示との併用であるため、消費電力の改善はできないという問題がある。
【００１１】
以上のことにかんがみ、この発明は、複数の通信用回線を収容可能な主装置部に対して無線接続されて通信を行なうものであって、電池により駆動される無線通信端末として、消費電力が少ないものを提供することを目的とする。
【課題を解決するための手段】
【００１２】
上記の課題を解決するために、この発明による無線通信端末は、
複数の通信用回線を収容可能な主装置部に対して無線接続されて通信を行なうものであって、電池により駆動される無線通信端末において、
少なくとも前記複数の通信用回線のそれぞれを対応設定させることが可能であって、それぞれ発光素子が対応して設けられている複数個の操作ボタンと、
前記複数の操作ボタンのそれぞれに対応する複数個のシンボルを表示画面に表示する表示手段と、
少なくとも前記通信用回線が対応設定されている前記複数個の操作ボタンについて、前記発光素子の発光態様により前記通信用回線の回線状態を表示する第１の表示モードとするか、前記表示画面に表示される前記シンボルの表示態様により前記通信用回線の回線状態を表示する第２の表示モードとするかを切り替える表示モード切替手段と、
前記主装置部から前記複数の通信用回線の状態の変化に関する情報を受信して解析し、前記複数の通信用回線のうち、状態の変化があった通信用回線を知ると共に、変化後の状態を検知する回線状態検知手段と、
前記表示モード切替手段による切り替えに応じた前記第１の表示モードまたは前記第２の表示モードのいずれかにより、前記回線状態検知手段で検知された前記状態の変化があった通信用回線および前記変化後の回線状態を表わすように表示制御する制御手段と
を備えることを特徴とする。
【００１３】
上述の構成のこの発明によれば、表示モード切替手段は、従来と同様のＬＥＤなどの発光素子を用いて回線状態を表示する第１の表示モードと、例えばＬＣＤなどの表示手段の表示画面に、複数の通信用回線のそれぞれに対応する複数個のシンボルを表示して回線状態を表示する第２の表示モードとを切り替えて、無線通信端末に設定して使用するようにする。
【００１４】
例えば、充電中のように、電池の消費が心配ない状態では、発光素子を用いて回線状態を表示する第１の表示モードにし、充電中でないときには、第２の表示モードにして、電池の電力消費を少なくすることができる。
【発明の効果】
【００１５】
この発明によれば、ＬＥＤを用いて回線状態を表示する第１の表示モードと、ＬＣＤなどの低消費電力の表示手段に示すシンボルにより回線状態を表示する第２の表示モードとを備え、電池の消費を少なくするときには、第２の表示モードに切り替えて使用することができるので、消費電力を少なくして、充電無しでも、比較的長時間の使用が可能になる。
【発明を実施するための最良の形態】
【００１６】
以下、この発明による無線通信端末の実施形態を、ビジネスホンシステムに用いた場合を例に、図を参照しながら説明する。
【００１７】
図１は、この発明による無線通信端末の実施形態が用いられたビジネスホンシステムの全体の構成例を示すブロック図である。この例の無線ＬＡＮは、ＩＥＥＥ８０２．１１規格に準拠しており、通話音声情報や呼制御のための情報の他、全ての情報はパケット化されて送受される。この例においては、この発明による無線通信端末の実施形態は、パケット電話機として構成される。
【００１８】
この例のビジネスホンシステムは、主装置部１と、この主装置部１と無線ＬＡＮ３を通じて無線接続される複数個のパケット電話機２とから構成されている。
【００１９】
主装置部１は、無線ＬＡＮ用アクセスポイント装置１０（以下、単にアクセスポイント装置という）と、サーバ装置１２と、ゲートウエイ１３とを備えて構成されている。アクセスポイント装置１０は、有線ＬＡＮ１１を通じてサーバ装置１２に接続されている。
【００２０】
サーバ装置１２は、この例のビジネスホンシステムの場合には、電話通信中継交換装置の役割をもするものであり、ゲートウエイ１３を通じて外部ネットワーク、この例においては、公衆交換電話網（ＰＳＴＮ；Ｐｕｂｌｉｃ  Ｓｗｉｔｃｈｅｄ  Ｔｅｌｅｐｈｏｎｅ  Ｎｅｔｗｏｒｋ）１４にも接続される。なお、外部ネットワークには、インターネットをも含むものである。
【００２１】
この例においては、主装置部１は、電話通信用として、複数回線分を収容可能とされており、サーバ装置１２は、収容している電話通信用回線のそれぞれに識別情報（例えば回線番号）を付与して管理している。そして、例えば、ある回線に着信があると、サーバ装置１２は、当該着信があった回線の識別情報と共に、着信通知をアクセスポイント装置１０を通じてすべてのパケット電話機２に通知するようにする。
【００２２】
パケット電話機２は、着信通知に含まれる回線の識別情報から、いずれの回線に着信があったかを検出し、当該着信があった回線に対する着信通知表示を、後述するようにして行なう。
【００２３】
また、パケット電話機２からの主装置部１への回線捕捉要求には、当該回線捕捉要求する回線の識別情報が付加される。サーバ装置１２は、当該付加されている回線識別情報からいずれの回線への捕捉要求であるかを検出して、捕捉処理を行なう。
【００２４】
アクセスポイント装置１０に対しては、複数個のパケット電話機２のそれぞれに内蔵される無線ＬＡＮ用端末側ステーション装置部（以下、単にステーション装置部という）２０が、それぞれ無線リンクにより接続される。アクセスポイント装置１０と複数個のステーション装置部２０との間で形成される無線リンクは、無線ＬＡＮ３を構成する。
【００２５】
そして、この例では、各パケット電話機２においては、ステーション装置部２０は、電話機部３０に接続される。また、この例では、パケット電話機２は、電源として、例えば充電式のバッテリー４０を用いるものとして構成されており、省電力化のため、通信を行なっていないときには、スタンバイ状態を間に挟んで、一定周期で、間欠受信状態を繰り返すように構成されている。
【００２６】
サーバ装置１２は、無線ＬＡＮ３にステーション装置部２０を介して接続されるパケット電話機２のそれぞれについての、無線ＬＡＮ３上のアドレス情報を管理している。そして、サーバ装置１２は、無線ＬＡＮ３を通じた電話通信の通話路を管理する。例えば、サーバ装置１２は、外部ネットワーク４に接続された複数の電話用回線のそれぞれについて、当該電話用回線を通じた他の電話端末と、アクセスポイント装置１０、無線ＬＡＮ３を介したパケット電話機２との間の通話（外線通話）について、通信制御および管理する。
【００２７】
また、サーバ装置１２は、管理しているアドレス情報を用いて、複数台のパケット電話機２のいずれか一つのパケット電話機と、他の一つのパケット電話機２との間での、無線ＬＡＮ３およびサーバ装置１２を通じた内線通話についての通信制御および管理をも行なうようにしている。
【００２８】
サーバ装置１２は、例えば外部ネットワーク４を通じて、複数の電話用回線のいずれかに、相手方から着信があったときには、当該回線に着信があったことを知らせる着信通知のパケット（着信通知の情報と、当該着信のあった回線の識別情報を含む）を、マルチキャストによりアクセスポイント装置１０に送る。
【００２９】
アクセスポイント装置１０は、この例では、この着信通知のパケットは、重要パケットと判断して、その着信通知のパケットはユニキャストのパケットに変換し、無線ＬＡＮ３を通じて配下のパケット電話機２のステーション装置部２０の全てに送る。
【００３０】
ステーション装置部２０のそれぞれは、当該着信をパケット電話機２の電話機部３０に転送する。電話機部３０は、当該着信を、パケット電話機２のユーザに、例えばベル鳴動などにより通知すると共に、受け取った回線の識別情報に基づく、当該回線に着信があったことを後述するようにして表示してユーザに知らせる。
【００３１】
いずれかのパケット電話機２のユーザがこの着信に応答すると、その応答メッセージが、当該応答のあったパケット電話機２から、そのステーション装置部２０を通じ、無線ＬＡＮ３を通じてアクセスポイント装置１０に伝送される。
【００３２】
アクセスポイント装置１０は、この応答をサーバ装置１２に送り、サーバ装置１２は、この応答をゲートウエイ１３および着信があった電話用回線通じて外部ネットワーク４に送出し、相手方に通知する。これにより、無線ＬＡＮ３を通じた通話路が形成され、無線ＬＡＮ３を通じて音声パケットの伝送がなされて通話がなされる。
【００３３】
複数台のパケット電話機２のいずれかのユーザが、前記複数の電話用回線のいずれかを捕捉して発信の操作をした場合には、上述とは逆の経路で、発信の相手先に着信され、当該発信の相手先が応答すれば、無線ＬＡＮ３を通じた通話路が形成され、無線ＬＡＮ３を通じて音声パケットの伝送がなされて通話がなされる。
【００３４】
サーバ装置１２は、上述のようにして着信応答により生成された通話路や、発呼により生成された通話路を管理しており、無線ＬＡＮ３を通じて、当該通話路が生成されている電話用回線の状態情報を、パケット電話機２の全てに、回線状態の通知用パケットとして生成し、マルチキャストのパケットとしてアクセスポイント装置１０に送る。
【００３５】
アクセスポイント装置１０は、この例では、この回線状態の通知用パケット（着信通知のパケットを含む）を重要パケットと判断して、マルチキャストパケットとされている、その回線状態の通知用パケットをユニキャストパケットに変換し、無線ＬＡＮ３を通じて配下の全てのパケット電話機２に、そのステーション装置部２０を通じて送る。回線状態の通知用パケットを受け取った各パケット電話機２は、後述するように、当該通知用パケットを解析し、その解析結果に応じて後述するような、着信表示や当該通信用回線について他端末が外線使用中の表示などを行なってユーザに通知するようにする。
【００３６】
なお、通話音声のパケットは、特定の相手先を指定するパケットであり、ユニキャストパケットとされるものである。なお、マルチキャストで送られる情報は、上述のような着信パケットや、回線状態の通知用パケットだけではないことは言うまでもない。
【００３７】
この実施形態では、着信や外線使用中などの回線状態の通知用パケットなどのように、マルチキャストのパケットであっても、パケット電話機２に対して必ず到達させたいパケットは、重要パケットとして、他のマルチキャストのパケットとは区別するようにする。
【００３８】
そして、この実施形態では、マルチキャストパケットのうちの、重要でないものはそのままマルチキャストで無線ＬＡＮ３に送出するが、重要なものは、上述したように、アクセスポイント装置１０において、配下の全てのパケット電話機２のステーション装置部２０に宛てたユニキャストパケットに変換して、全てのパケット電話機２に確実に到達させるようにしている。
【００３９】
アクセスポイント装置１０は、サーバ装置１２と、パケット電話機２のステーション装置部２０との間におけるパケットの送受の中継を、主として行なうものであるが、この実施形態では、上述の点を実現するために、単に、パケットの送受の中継機能だけではなく、上述のマルチキャストパケットをユニキャストパケットに変換する機能のために、次のような、処理機能を備える。
【００４０】
すなわち、アクセスポイント装置１０は、パケットがマルチキャストパケットか、ユニキャストパケットかを識別する機能と、パケットの種別やパケットにより送受されるデータの種別などを判別する機能とを備えると共に、サーバ装置１２からマルチキャストのパケットを受け取ったときに、そのパケット種別あるいはデータ種別が、重要なものとして予め定められた特定の種別のパケットやデータのときには、サーバ装置１２から受け取ったマルチキャストのパケットを、ユニキャストのパケットに変換する機能を備えている。
【００４１】
アクセスポイント装置１０は、無線ＬＡＮ３を通じて接続される配下の複数のステーション装置部２０（延いては各パケット電話機２）のアドレスやポート番号を管理しており、マルチキャストのパケットをユニキャストのパケットに変換するときには、それらの管理データを用いて、管理している配下の全てのステーション装置部２０に対するユニキャストパケットを生成して、それらを配下の全てのステーション装置部２０に送るようにする。
【００４２】
なお、この実施形態では、パケット電話機２は間欠受信をするため、当該パケット電話機２がスタンバイ状態のときには、ユニキャストパケットに対する受信確認情報をアクセスポイント装置１０は得られず、当該ユニキャストパケットは、未送達のユニキャストパケットとなる。
【００４３】
この未送達のユニキャストパケットは、ＩＥＥＥ８０２．１１規格に準拠した未送達の通知方法を用いることにより、確実に宛先のパケット電話機２にステーション装置部２０を通じて送ることができる。
【００４４】
次に、この実施形態の無線ＬＡＮシステムを構成するアクセスポイント装置１０およびステーション装置部２０を含むパケット電話機２の詳細な構成例および動作例を説明する。
【００４５】
＜アクセスポイント装置１０のハードウエア構成＞
図２は、主装置部１のアクセスポイント装置１０のハードウエア構成例を示すブロック図である。
【００４６】
この例のアクセスポイント装置１０は、例えばマイクロコンピュータからなる制御部１０１と、有線ＬＡＮインターフェース（図ではインターフェースはＩ／Ｆと記載する。以下同じ）１０２と、送信用処理回路１０３と、受信用処理回路１０４と、送信アンプ１０５と、受信アンプ１０６と、アンテナ切換回路１０７と、送受信アンテナ１０８と、送受信アンテナ１０９とを備えて構成される。
【００４７】
有線ＬＡＮインターフェース１０２は、この例では、有線ＬＡＮ１１を通じてサーバ装置１２に接続されている。２個の送受信アンテナ１０８および１０９は、ダイバーシティアンテナを構成するもので、無線ＬＡＮ３を通じてのパケットの送受を行なうためのものである。
【００４８】
アクセスポイント装置１０では、有線ＬＡＮインターフェース１０２を通じて得たサーバ装置１２からの送信用パケットを、制御部１０１の制御に応じて送信用処理回路１０３およびアンプ１０５、また、アンテナ切換回路１０７を介して送受信アンテナ１０８または１０９の一方に供給して、ステーション装置部２０に対して無線送信する。
【００４９】
また、送受信アンテナ１０８または１０９の一方を通じて受信したステーション装置部２０からのパケットは、アンテナ切換回路１０７およびアンプ１０６を通じて受信用処理回路１０４に供給される。そして、受信用処理回路１０４からのパケットは、制御部１０１に供給される。制御部１０１は、受信したパケットを、有線ＬＡＮインターフェース１０２および有線ＬＡＮ１１を通じてサーバ装置１２に送出する。
【００５０】
制御部１０１は、マイクロコンピュータにより構成されるもので、例えば、図２に示すようなブロック構成とされる。すなわち、ＣＰＵ（Ｃｅｎｔｒａｌ  Ｐｒｏｃｅｓｓｉｎｇ  Ｕｎｉｔ）１１０に対して、システムバス１１１を介して、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、パケット分解／生成部１１４と、無線端末情報管理部１１５と、受信バッファ１１６と、送信バッファ１１７と、ビーコン生成部１１８と、送信態様判別部１１９と、情報種別判別部１２０と、送信情報生成部１２１とが接続されている。
【００５１】
図２では、省略したが、有線ＬＡＮインターフェース１０２に接続されるポートや、送信用処理回路１０３、受信用処理回路１０４と制御情報や送受信情報のやり取りを行なうポートなども、制御部１０１は、備えるものである。
【００５２】
パケット分解／生成部１１４は、インターフェース１０２により取り込んだパケット化データを分解して、パケットヘッダを分離し、送信態様判別部１１９や情報種別判別部１２０に転送する機能と、送信するデータをパケット化して送出するパケットデータを生成する機能を有する。このパケット分解／生成部１１４は、パケットデータを分解したり、生成したりするためのバッファメモリを備える。
【００５３】
無線端末情報管理部１１５は、無線ＬＡＮ３を通じて接続される配下のパケット電話機２のステーション装置部２０のアドレス情報やポート番号を記憶して管理する。
【００５４】
受信バッファ１１６は、有線ＬＡＮインターフェース１０２を通じて受け取ったパケットデータや、無線ＬＡＮ３から受け取ったパケットデータを一時格納するためのものである。
【００５５】
送信バッファ１１７は、配下のパケット電話機２（ステーション装置部２０）のそれぞれについて、当該パケット電話機２に対して送出すべきパケットを待ち行列として順次に蓄積してゆく送信キューを備える。当該パケット電話機２に送られていない未送達のパケットが、それぞれの送信キューに登録される。
【００５６】
ビーコン生成部１１８は、主として、ステーション装置部２０がアクセスポイント装置１０をサーチし、自装置をアクセスポイント装置１０に登録するための等に用いられる特定の電波、すなわち、ビーコンを、一定周期、例えば１００ミリ秒周期で生成し、生成したビーコンをパケット分解／生成部１１４でパケット化して、無線ＬＡＮ３に送出するようにする。
【００５７】
そして、ビーコン生成部１１８は、送信バッファ１１７に未送達のパケットがあるときには、当該未送達のパケットがあるパケット電話機２のステーション装置部２０宛てに、未送達のパケットをあることを通知する情報を重畳したビーコンを生成する。ステーション装置部２０は、間欠受信において、当該ビーコンを受信することにより、自分宛ての未送達のパケットがあることが知る。
【００５８】
送信態様判別部１１９は、この例では、パケットヘッダに含まれるアドレス情報を識別して、パケットがマルチキャストか、ユニキャストかを判別する。すなわち、パケットヘッダのアドレス情報としては、ユニキャスト用のものと、マルチキャスト用のものとが予め定められており、例えばマルチキャスト用のアドレス情報が送信態様判別部１１９には記憶されている。したがって、送信態様判別部１１９は、パケットヘッダのアドレス情報を認識し、認識したアドレス情報と、記憶されているアドレス情報とを比較することにより、マルチッキャストのパケットかユニキャストのパケットかを認識することができる。
【００５９】
情報種別判別部１２０は、この例では、パケットヘッダに含まれるポート番号を認識することにより、データの種別あるいはパケットの種別を判別する。すなわち、ポート番号は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠して定められるもので、音声情報、データ、制御情報などのデータに種別ごとに、あるいは、パケットの種別ごとに、別々のポート番号が割り当てられている。また、ユーザが、未定義のポート番号に、着信通知、他使用中や保留中などの回線状態の通知等のパケット種別やデータ種別を割り当てることもできるようにされている。
【００６０】
そこで、この実施形態の情報種別判別部１２０では、例えば、着信通知、他使用中や保留中などの回線状態の通知等などの重要なマルチキャストパケットの情報について、それらに割り当てられているポート番号を記憶しており、受信したマルチキャストパケットのパケットヘッダに含まれるポート番号を認識して、当該認識したポート番号と、記憶したポート番号とを比較することで、受信したマルチキャストパケットが、例えば着信通知のパケットや、回線状態の通知パケットなどの重要な情報パケットであるどうかを判別するようにする。
【００６１】
送信情報生成部１２１は、通常は、有線ＬＡＮインターフェース１０２を通じて受け取ったパケットを、送信情報として、そのまま用いるようにする。しかし、送信態様判別部１１９で、サーバ装置１２から有線ＬＡＮインターフェース１０２を通じて受け取ったパケットがマルチキャストパケットであり、かつ、この実施形態では、情報種別判別部１２０で、着信通知やランプ情報のような重要情報のパケットであると判別したときには、マルチキャストパケットをユニキャストパケットに変換して送出するようにする。
【００６２】
このとき、前述したように、送信情報生成部１２１は、１個のマルチキャストパケットに対して、無線端末情報管理部１１５を検索して、配下のパケット電話機２のステーション装置部２０の全てに対する複数個のユニキャストパケットを生成する。
【００６３】
なお、ビーコン生成部１１８、送信態様判別部１１９の判別機能、情報種別判別部１２０の判別機能は、ＲＯＭ１１２に記憶されているソフトウエアプログラムに基づいてＣＰＵ１１０がＲＡＭ１１３をワークエリアとして用いて行なうソフトウエア処理とすることができる。
【００６４】
＜パケット電話機２のステーション装置部２０のハードウエア構成＞
ステーション装置部２０の基本的なハードウエア構成は、アクセスポイント装置１０とほぼ同様の構成を有する。図３に、ステーション装置部２０の構成例のブロック図を示す。
【００６５】
すなわち、ステーション装置部２０は、例えばマイクロコンピュータを備えて構成される制御部２０１と、端末インターフェース２０２と、送信用処理回路２０３と、受信用処理回路２０４と、送信アンプ２０５と、受信アンプ２０６と、アンテナ切換回路２０７と、送受信アンテナ２０８および２０９とを備えている。
【００６６】
端末インターフェース２０２は、この例では、電話機部３０に接続されている。送受信アンテナ２０８および２０９は、無線ＬＡＮ３を通じてのパケットの送受を行なうためのものである。
【００６７】
ステーション装置部２０は、端末インターフェース２０２を通じて、電話機部３０からの呼設定メッセージのパケットや通話音声情報のパケットを、送受信アンテナ２０８または２０９を通じてアクセスポイント装置１０に送信する。また、アクセスポイント装置１０からの受信パケットを、端末インターフェース２０２を通じて電話機部３０に送る。
【００６８】
そして、制御部２０１は、この実施形態では、図３に示すようなブロック構成とされる。すなわち、ＣＰＵ２１０に対して、システムバス２１１を介して、ＲＯＭ２１２と、ＲＡＭ２１３と、パケット分解／生成部２１４と、受信バッファ２１５と、送信バッファ２１６と、間欠受信管理部２１７とが接続されている。
【００６９】
パケット分解／生成部２１４は、無線ＬＡＮ３を通じて取り込んだパケット化データを分解して、自分宛ての制御データや音声データを得る機能と、端末インターフェース２０２からの送信する制御データや音声データをパケット化して送出するパケット化データを生成する機能を有する。
【００７０】
受信バッファ２１５は、端末インターフェース２０２を通じて受け取ったパケットデータや、無線ＬＡＮ３から受け取ったパケットデータを一時格納するためのものである。
【００７１】
送信バッファ２１６は、送信しようとするパケットデータを一時格納しておくためのもので、送信情報のパケットを順次に待ち行列として蓄積してゆく送信キューを備える。
【００７２】
また、間欠受信管理部２１７は、当該パケット電話機２が通信を行なっていないときに、一定周期で、間欠受信状態を実行すると共に、間欠受信状態と間欠受信状態との間は、スタンバイ状態となって、バッテリー４０の電力消費を抑えるようにする。スタンバイ状態では、次の間欠受信状態に復帰するため、また、電話機部３０におけるユーザの発呼操作に応じて、パケット電話機２が立ち上がってアクティブ状態になるのに必要な部位にのみ、バッテリーから電源電圧が供給されており、非常に小さい消費電流とされている。
【００７３】
間欠受信管理部２１７は、ステーション装置部２０についての電源系を制御するだけでなく、電話機部３０の後述するＣＰＵ３１０を介在して、電話機部３０の電源系をも制御することができるようにしている。すなわち、パケット電話機２をスタンバイ状態にするときには、その旨を端末インターフェース２０２を通じて電話機部３０に通知すると共に、アクティブ状態に立ち上がるときには、その旨を端末インターフェース２０２を通じて通知するようにする。電話機部３０のＣＰＵ３１０は、これらの通知に応じて、電話機部３０の電源系を制御して、省電力を実現する。
【００７４】
間欠受信を実行する周期は、目的とする省電力量に応じたものとされるが、無線ＬＡＮの場合には、例えば、アクセスポイント装置１０から発生するビーコンの発生周期の２倍以上とされる。例えば、ビーコンの発生周期の４倍（この例では４００ミリ秒）とされている。パケット電話機２がスタンバイ状態から間欠受信状態になったときに、アクセスポイント装置１０からのビーコンを少なくとも一回は、受信することができるようにする必要があるため、ビーコン周期と同じ周期では省電力化することができないからである。
【００７５】
間欠受信において、アクセスポイント装置１０からのビーコンを受信したときに、当該ビーコンに自装置宛の未送信パケットがあることを示す通知が重畳されていることを認識したときには、ステーション装置部２０の間欠受信管理部２１７は、自パケット電話機２をスタンバイ状態からアクティブ状態に立ち上げ、自パケット電話機２が立ち上がったことを、アクセスポイント装置１０に通知するようにする。
【００７６】
アクセスポイント装置１０は、パケット電話機２についての立ち上がりの通知を受けると、当該立ち上がったパケット電話機宛ての未送信のパケットをユニキャスト送信するようにする。これに対して、パケット電話機２のステーション装置部２０は、受信確認情報をアクセスポイント装置１０に返し、受信確認をアクセスポイント装置１０に知らせる。その後は、パケット電話機２では、やり取りした未送信パケットの内容に応じた処理がなされることになる。
【００７７】
＜パケット電話機２の電話機部３０のハードウエア構成例＞
図４に、この実施形態のパケット電話機２の電話機部３０の内部ハードウエア構成例を示す。また、図５に、この実施形態のパケット電話機２の概観構成例を示す。
【００７８】
図４に示すように、電話機部３０は、コンピュータを備えて構成されており、ＣＰＵ３１０に対して、システムバス３１１を介して、ＲＯＭ３１２と、ＲＡＭ３１３と、ディスプレイコントローラ３１４と、操作入力インターフェース３１６と、ステーションインターフェース３１８と、パケット分解／生成部３１９と、音声データ入出力インターフェース３２０と、ＬＥＤ駆動制御部３２１と、回線状態記憶保持部３２７とが接続されている。
【００７９】
ディスプレイコントローラ３１４には、ディスプレイとしてこの例ではＬＣＤ３１５が接続されており、このＬＣＤ３１５の表示画面３１５Ｄには、後述するように、ＣＰＵ３１０の制御にしたがった表示が行われる。
【００８０】
図５に示すように、この実施形態のパケット電話機２は、ノンロック式の押しボタンからなり、ＬＥＤ６２を内蔵する自照式のフレキシブルキー６１の複数個を備えると共に、ＬＣＤ３１５の表示画面３１５Ｄには、これらの複数のフレキシブルキー６１のそれぞれに対応するようにされているキー表示シンボル６３の複数個が表示される。キー表示シンボル６３は、この例では、フレキシブルキーと同様の図形表示からなる。
【００８１】
この例では、図５に示すように、フレキシブルキー６１のそれぞれの左側と、キー表示シンボル６３の左側には、対応するもの同士で同一の数字番号を付して、フレキシブルキー６１とキー表示シンボル６３との対応付けの認識を、ユーザが容易にできるようにしている。
【００８２】
ここで、複数個のフレキシブルキー６１およびキー表示シンボルは、通常、主装置部１に収容される通信用回線数以上が設けられて、全ての回線に対応することができると共に、その他に、パケット電話機２が備える各種機能を設定することができるように構成されている。
【００８３】
複数個のフレキシブルキー６１に内蔵されるＬＥＤ６２により後述するＬＥＤ群３２２が構成される。
【００８４】
また、操作入力インターフェース３１６には、操作入力部３１７が接続されている。この操作入力部３１７は、図５に示すように、前述したフレキシブルキー６１の複数個の他、テンキー５１と、上キー５２、下キー５３、左キー５４、右キー５５および決定キー５６からなるカーソルキーや、保留キー５７などの操作キーを含む。
【００８５】
テンキー５１は、ダイヤル番号の入力のために用いられる。上キー５２、下キー５３、左キー５４、右キー５５および決定キー５６からなるカーソルキーは、後述する表示モードの設定や、その他設定などの際に用いられる。保留キー５７は、使用中回線を保留する際に用いられる。
【００８６】
なお、対応している回線が空きであるときに、フレキシブルキー６１をユーザが押下操作すると、それは外線捕捉要求を意味する。また、この例では、対応している回線が自端末使用中であるときに、当該使用中のパケット電話機で当該フレキシブルキー６１をユーザが押下操作すると、それは、終話操作を意味する。これらの回線の変化に関する情報は、パケット電話機２から当該状態変化した回線の識別情報を含むパケットとして主装置部１に送られる。
【００８７】
ＣＰＵ３１０は、操作入力インターフェース３１６を介して操作入力部３１７を通じて使用者がいずれの操作キーを操作したかを認識し、その認識結果に基づいて、キー入力操作に応じた処理をＲＯＭ３１２のプログラムに従って実行する。
【００８８】
なお、図５において、６４は、スピーカ３２２からの音声を放音するための孔部であり、また、６５は、マイクロホン３２３が音声を収音するための孔部である。
【００８９】
ＲＯＭ３１２には、主装置部１から受信した回線状態の情報に応じたＬＥＤ６３やＬＣＤ３１５の表示画面３１５Ｄの表示制御のプログラム、無線ＬＡＮ３を通じた発信時や着信時の処理シーケンスを実行するプログラム、その他の処理を実行するためのプログラムなどが記憶されている。ＲＡＭ３１３は、主としてＲＯＭ３１２のプログラムがＣＰＵ３１０によって実行される際にワークエリアとして使用される。
【００９０】
ステーションインターフェース３１８は、ステーション装置部２０に接続され、当該ステーション装置部２０を通じて送られてくるパケット化データを取り込み、また、ステーション装置部２０にパケット化データを送出するための機能を備える。
【００９１】
パケット分解／生成部３１９は、インターフェース３１８により取り込んだパケット化データを分解して、回線状態の情報、制御データや音声データを得る機能と、送信する制御データや音声データをパケット化して送出するパケット化データを生成する機能を有する。このパケット分解／生成部３１９は、パケット化データを分解したり、生成したりするためのバッファメモリを備える。
【００９２】
なお、このパケット分解／生成部３１９のパケット分解処理機能や生成処理機能は、ＣＰＵ３１０と、ＲＯＭ３１２とにより、ソフトウエアとして実現することもできる。
【００９３】
音声データ入出力インターフェース３２０は、パケット分解されて得られた音声データをアナログ音声信号に変換して、アンプ３２３を通じて受話器を構成するスピーカ３２４に供給するようにする。また、送話器としてのマイクロホン３２５からの送話音声信号がアンプ３２６を通じてこの音声データ入出力インターフェース３２０に供給される。音声データ入出力インターフェース３２０は、この送話音声信号をデジタル音声信号に変換し、システムバス３１１を通じてパケット生成のためにパケット分解／生成部３１９に供給するようにする。
【００９４】
ＬＥＤ駆動制御部３２１には、この例では、前述したＬＥＤ群３２２が接続され、無線ＬＡＮ１５を通じて受信する回線状態の通知情報パケットの解析結果に応じて、それらＬＥＤ群３２２の各ＬＥＤの点灯、消灯、点滅などが制御される。
【００９５】
回線状態記憶保持部３２７は、主装置部１に収容されている複数の電話用回線に対応するフレキシブルキー６１のそれぞれに対応して、その電話用回線の回線状態を記憶保持する。この回線状態記憶保持部３２７は、ＲＡＭ３１３の一部としても良い。
【００９６】
［パケット電話機２の回線状態等の表示］
この実施形態のパケット電話機２では、例えば上キー５２はメニュー表示キーを兼用するようにされており、このメニューの中に、主装置部１に収容されている複数の回線や各種機能とフレキシブルキー６１との対応付け設定や、回線状態の表示モードの設定などの項目が用意されている。
【００９７】
ユーザは、上キー５２を操作することにより表示画面３１５Ｄに表示されたメニューの中から、前記のフレキシブルキー６１の対応付け設定を選択し、さらに、上キー５２、下キー５３、左キー５４、右キー５５および決定キー５６などのカーソルキーや、テンキー５１の一部などを操作することにより、各フレキシブルキー６１に対して、電話用回線や、各種機能を設定しておくことができるようにされている。
【００９８】
例えば、この例では、主装置部１で、例えば５回線が収容可能とされており、「１」〜「５」までの数字番号のフレキシブルキー６１には、それらの５回線のそれぞれが設定される。そして、この例では、「６」〜「８」までの数字番号のフレキシブルキー６１に対しては、ワンタッチダイヤル、短縮、リダイヤルなどの機能を設定することができるようにされている。
【００９９】
したがって、「１」〜「５」までの数字番号のフレキシブルキー６１のＬＥＤ６２により、対応付け設定された回線の回線状態が表示されるようにされる。また、ＬＣＤ３１５の表示画面３１５Ｄの、対応する「１」〜「５」までの数字番号のキー表示シンボル６３によっても、また、「１」〜「５」までの数字番号のフレキシブルキー６１のＬＥＤ６２により、対応付け設定された回線の回線状態を表示することが可能である。
【０１００】
すなわち、この実施形態では、主装置部１に収容される複数の電話用回線の回線状態を示す表示手段としては、フレキシブルキー６１のそれぞれに内蔵されるＬＥＤ６２と、ＬＣＤ３１５の画面３１５Ｄに表示される、複数個のフレキシブルキー６１に対応するキー表示シンボル６３との、２つを用いることができる。
【０１０１】
そして、後述するように、パケット電話機２は、主装置部１から着信通知のパケットや、回線状態の通知パケットなどを受けたときに、それらをデコードして解析し、当該通知パケットに含まれる回線の識別情報により、主装置部１が収容している複数の回線のどの回線状態が変化したか、また、当該回線状態の変化を検出し、その検出結果を、回線状態記憶保持部３２７に、各フレキシブルキー６１に対応させて記憶保持する。
【０１０２】
当該変化を検出した回線に対応するフレキシブルキー６１については、当該変化後の回線状態に応じて予め定められた表示変化を、ＬＥＤ６２あるいはキー表示シンボルにより表示して、当該回線状態をユーザに報知するようにしている。
【０１０３】
この例では、ＬＥＤ６１を用いた回線状態の表示の表示態様としては、
・アイドル状態；ＬＥＤ消灯
・着信；ＬＥＤの早い点滅
・自己通話中；ＬＥＤ点灯し、所定時間以内に２回消えることを繰り返す
・他通話中（外線使用中）；ＬＥＤ点灯
・自己保留；遅い点滅
・システム保留；所定時間内で２回点灯を遅い周期で繰り返す
という表示態様を用いるようにする。
【０１０４】
また、キー表示シンボル６３を用いる場合には、この例では、次のようにする。すなわち、図６に示すように、この実施形態では、キー表示シンボル６３は、キーシンボル本体６３１と、シンボル枠６３２とからなり、これら本体６３１と枠６３２とを用いて、図７に示すように、複数種の回線状態を表示するようにする。
【０１０５】
すなわち、この例では、図７に示すように、
・アイドル状態；対応するキー表示シンボル６３は表示しない
・着信；対応するキー表示シンボル６３を枠６３２付きで表示すると共に、全体を速い点滅とする
・自己通話中；対応するキー表示シンボル６３を枠６３２無しで、本体６３１のみを表示すると共に、所定時間以内に２回消えることを繰り返す
・他通話中（外線使用中）；対応するキー表示シンボル６３を枠６３２付きで常時表示
・自己保留；対応するキー表示シンボル６３を枠６３２付きで表示すると共に、枠６３２のみを遅い点滅とする
・システム保留；対応するキー表示シンボル６３を枠６３２無しで、本体６３１のみを表示するが、所定時間内で２回表示を遅い周期で繰り返す
という表示態様を用いるようにする。
【０１０６】
この実施形態では、以上の２つの回線状態の表示手段を、同時に使用することはせず、バッテリー４０の消耗を考慮して、使い分けするようにする。以下、ＬＥＤ６１を用いる表示モードをＬＥＤ表示モード、キー表示シンボル６３を用いる表示モードをＬＣＤ表示モードと呼ぶことにする。
【０１０７】
この実施形態では、表示モードの設定モードは、ＬＥＤ表示モードとＬＣＤ表示モードとのいずれかに固定的にユーザが設定する手動切替設定モードと、パケット電話機２の使用状態やバッテリー４０の状態に応じてＬＥＤ表示モードとＬＣＤ表示モードとを自動切り替えする自動切替モードとを備える。
【０１０８】
手動切替設定モードにおいては、例えば通話終了時は必ず充電器にパケット電話機２を置くユーザは、ＬＥＤ表示モードを選択設定することができる。また、パケット電話機２を持ち歩くことが多く、省電力を優先させたいユーザは、ＬＣＤモードを選択設定することができる。
【０１０９】
そして、この実施形態では、自動切替モードにおいては、パケット電話機２が充電器に置かれているときには、バッテリーの消費を無視できるのでＬＥＤ表示モードとし、パケット電話機２が充電器から外されて、非充電中となったときにはＬＣＤ表示モードに切り替える。
【０１１０】
［表示モードの切替設定］
前述したメニュー項目のうちの回線状態の表示モード設定の際の処理動作を、図８のフローチャートを参照して説明する。
【０１１１】
すなわち、ユーザが回線状態の表示モード設定の項目を選択すると、図８のフローチャートが開始となり、ＣＰＵ３１０は、ＬＥＤ表示モードと、ＬＣＤ表示モードとを手動切替設定するか、自動切替設定するかの問合せメッセージをＬＣＤ画面３１５Ｄに表示する（ステップＳ１）。
【０１１２】
そして、ＣＰＵ３１０は、この問合せに対するユーザの入力を待ち、手動切替設定が選択されたか、あるいは自動選択設定が選択されたかを判別する（ステップＳ２）。手動切替設定が選択されたと判別したときには、ＣＰＵ３１０は、ＬＥＤ表示モードとするか、あるいはＬＣＤ表示モードとするかの入力を促す問合せメッセージを表示する（ステップＳ３）。
【０１１３】
そして、ＣＰＵ３１０は、この問合せに対するユーザの入力を待ち、ＬＥＤ表示モードが選択されたか、あるいはＬＣＤ表示モードが選択されたかを判別する（ステップＳ４）。そして、ＬＥＤ表示モードが選択されたと判別したときには、ＣＰＵ３１０は、フレキシブルキー６１のＬＥＤ６２により、対応する回線状態の表示を行なうＬＥＤ表示モードを、パケット電話機２として設定する（ステップＳ５）。また、ＬＣＤ表示モードが選択されたと判別したときには、ＣＰＵ３１０は、ＬＣＤ画面３１５Ｄのキー表示シンボル６３により、対応する回線状態の表示を行なうＬＣＤ表示モードを、パケット電話機２として設定する（ステップＳ６）。
【０１１４】
また、ステップＳ２で、自動切替設定が選択されたと判別したときには、ＣＰＵ３１０は、ＬＥＤ表示モードとＬＣＤ表示モードとを、パケット電話機２の充電状態に応じて自動切替する表示モードに設定する（ステップＳ７）。以上で、この表示モード設定処理を終了する。
【０１１５】
［回線状態の通知情報の授受と、表示画面の表示］
次に、主装置部１のサーバ装置１２、アクセスポイント装置１０およびパケット電話機２の電話機部２０の処理動作を、フローチャートを参照しながらさらに説明する。
【０１１６】
収容している複数の回線のいずれかの回線状態が変化したときの、主装置部１における動作について先ず説明する。図９は、このときの主装置部１のサーバ装置１２の動作を説明するためのフローチャートである。
【０１１７】
すなわち、サーバ装置１２は、前述もしたように常に複数の収容回線の回線状態を監視している（ステップＳ１１）。そして、外線回線を通じた着信、パケット電話機２からの発信要求、保留要求、保留解除要求などのイベントに応じて、複数の回線のうちのいずれかに、回線状態が変化したか否か判別し（ステップＳ１２）、回線状態が変化したと判別したときには、回線状態が変化した回線の識別情報と、その変化後の回線状態とを含めたマルチキャストパケットを、重要パケットとしてアクセスポイント装置１０に送る（ステップＳ１３）。
【０１１８】
そして、アクセスポイント装置１０からの応答ＡＣＫの受信を確認したら（ステップＳ１４）、ステップＳ１１に戻って、回線状態の変化の監視状態に戻る。
【０１１９】
前述したように、この実施形態では、アクセスポイント装置１０は、着信通知を含む回線状態の変化情報などの重要情報は、サーバ装置１２からマルチキャストパケットとして受信しても、全てのパケット電話機２に対して個別のユニキャストパケットとして送るようにする。これにより、パケット電話機２が間欠受信を行なっていても、全てのパケット電話機２に、回線状態の変化情報を通知することができる。
【０１２０】
次に、この主装置部１からの回線状態の変化情報を受けるパケット電話機２の動作を、図１０および図１１のフローチャートを参照しながら説明する。図１０および図１１のフローチャートの各ステップの処理は、パケット電話機２のＣＰＵ３１０が、ＲＯＭ３１２に記憶されているプログラムに従って、ＲＡＭ３１３をワークエリアとして用いて実行するものである。
【０１２１】
図１０に示すように、パケット電話機２のＣＰＵ３１０は、表示切替設定は、自動切替設定とされているか否か判別し（ステップＳ２１）、そうではなく、手動切替設定とされている場合には、ＬＥＤ表示モードに設定されているか、ＬＣＤ表示モードに設定されているかを判別する（ステップＳ２２）。
【０１２２】
そして、ステップＳ２２で、ＬＥＤ表示モードに設定されていると判別したときには、ＣＰＵ３１０は、主装置部１から回線状態の変化情報を受信したかどうかを監視し（ステップＳ２３）、主装置部１から回線状態の変化情報を受信したと判別したときには、受信した回線状態の変化情報を解析し、回線の識別情報に基づいて、変化した回線を判別すると共に、その変化後の回線状態を検出し、当該回線状態が変化した回線に対応するフレキシブルキー６１に対応して記憶保持している回線状態記憶保持部３２７の記憶情報を更新する（ステップＳ２４）。
【０１２３】
そして、ＣＰＵ３１０は、ステップＳ２４で検出した回線状態が変化した回線に対応するフレキシブルキー６１のＬＥＤの表示態様を、ステップＳ２４で検出した回線状態に応じた表示態様に変更するように表示制御する（ステップＳ２５）。
【０１２４】
そして、ＣＰＵ３１０は、表示モードが現在とは異なるモードに切り替えられた否か判別し（ステップＳ２６）、切り替えられていないと判別したときには、ステップＳ２３に戻り、このステップＳ２３以降の処理を繰り返し、切り替えられたと判別したときには、ステップＳ２１に戻り、このステップＳ２１以降の処理を実行する。
【０１２５】
また、ステップＳ２３で、回線状態の変化情報を受信してはいないと判別したときには、ステップＳ２６に飛んで、表示モードが切り替えられたかどうかを判別し、その後、前述したこのステップＳ２６以降の処理を行なう。
【０１２６】
また、ステップＳ２２で、ＬＣＤ表示モードに設定されていると判別したときには、ＣＰＵ３１０は、主装置部１から回線状態の変化情報を受信したかどうかを監視し（ステップＳ２７）、主装置部１から回線状態の変化情報を受信したと判別したときには、受信した回線状態の変化情報を解析し、変化した回線を判別すると共に、その変化後の回線状態を検出し、当該回線状態が変化した回線に対応するフレキシブルキー６１に対応して記憶保持している回線状態記憶保持部３２７の記憶情報を更新する（ステップＳ２８）。
【０１２７】
そして、ＣＰＵ３１０は、ステップＳ２８で検出した回線状態が変化した回線に対応するフレキシブルキー６１に対応するキー表示シンボル６３の表示態様を、ステップＳ２８で検出した回線状態に応じた表示態様に変更するように表示制御する（ステップＳ２９）。
【０１２８】
そして、ＣＰＵ３１０は、表示モードが現在とは異なるモードに切り替えられた否か判別し（ステップＳ３０）、切り替えられていないと判別したときには、ステップＳ２７に戻り、このステップＳ２７以降の処理を繰り返し、切り替えられたと判別したときには、ステップＳ２１に戻り、このステップＳ２１以降の処理を実行する。
【０１２９】
また、ステップＳ２７で、回線状態の変化情報を受信してはいないと判別したときには、ステップＳ３０に飛んで、表示モードが切り替えられたかどうかを判別し、その後、前述したこのステップＳ３０以降の処理を行なう。
【０１３０】
そして、ステップＳ２１で、自動切替モードに設定されていると判別したときには、ＣＰＵ３１０は、パケット電話機２が充電中であるか否か判別する（図１１のステップＳ４１）。このステップＳ４１での充電中であるか否かの判別は、例えばバッテリー４０への充電電流の有無を検出することにより行なうことができる。また、パケット電話機２の充電用端子と、充電台（図示せず）の受電端子との接触状態の検知、あるいは、パケット電話機２の充電用端子に対する充電用コネクタの接続を検知する方法であってもよい。
【０１３１】
このステップＳ４１で、充電中であると判別したときには、ＣＰＵ３１０は、主装置部１から回線状態の変化情報を受信したかどうかを監視し（ステップＳ４２）、主装置部１から回線状態の変化情報を受信したと判別したときには、受信した回線状態の変化情報を解析し、変化した回線を判別すると共に、その変化後の回線状態を検出し、当該回線状態が変化した回線に対応するフレキシブルキー６１に対応して記憶保持している回線状態記憶保持部３２７の記憶情報を更新する（ステップＳ４３）。
【０１３２】
そして、ＣＰＵ３１０は、ステップＳ４３で検出した回線状態が変化した回線に対応するフレキシブルキー６１のＬＥＤの表示態様を、ステップＳ４３で検出した回線状態に応じた表示態様に変更するように表示制御する（ステップＳ４４）。
【０１３３】
そして、ＣＰＵ３１０は、表示モードが現在とは異なるモードに切り替えられた否か判別し（ステップＳ４５）、切り替えられていないと判別したときには、ステップＳ４１に戻り、このステップＳ４１以降の処理を繰り返し、切り替えられたと判別したときには、ステップＳ２１に戻り、このステップＳ２１以降の処理を実行する。
【０１３４】
また、ステップＳ４２で、回線状態の変化情報を受信してはいないと判別したときには、ステップＳ４５に飛んで、表示モードが切り替えられたかどうかを判別し、その後、前述したこのステップＳ４５以降の処理を行なう。
【０１３５】
また、ステップＳ４１で、充電中ではないと判別したときには、ＣＰＵ３１０は、主装置部１から回線状態の変化情報を受信したかどうかを監視し（ステップＳ４６）、主装置部１から回線状態の変化情報を受信したと判別したときには、受信した回線状態の変化情報を解析し、変化した回線を判別すると共に、その変化後の回線状態を検出し、当該回線状態が変化した回線に対応するフレキシブルキー６１に対応して記憶保持している回線状態記憶保持部３２７の記憶情報を更新する（ステップＳ４７）。
【０１３６】
そして、ＣＰＵ３１０は、ステップＳ４７で検出した回線状態が変化した回線に対応するフレキシブルキー６１に対応するキー表示シンボル６３の表示態様を、ステップＳ４７で検出した回線状態に応じた表示態様に変更するように表示制御する（ステップＳ４８）。
【０１３７】
そして、ＣＰＵ３１０は、表示モードが現在とは異なるモードに切り替えられた否か判別し（ステップＳ４９）、切り替えられていないと判別したときには、ステップＳ４６に戻り、このステップＳ４６以降の処理を繰り返し、切り替えられたと判別したときには、ステップＳ２１に戻り、このステップＳ２１以降の処理を実行する。
【０１３８】
また、ステップＳ４６で、回線状態の変化情報を受信してはいないと判別したときには、ステップＳ４９に飛んで、表示モードが切り替えられたかどうかを判別し、その後、前述したこのステップＳ４９以降の処理を行なう。
【０１３９】
以上のようにして、この実施形態によれば、ユーザは、手動切替モードとして、自分の使用態様に応じて、ＬＥＤ表示モードとＬＣＤ表示モードとを使い分けて、より省電力を図ることができる。また、自動切替モードとしたときには、充電中でないときには、ＬＣＤ表示モードとして省電力化を図るようにしているので、待機時間を長くすることができる。
【０１４０】
［自動切替モードの第２の例］
上述の例（これを第１の例という）では、自動切替モードにおいては、充電中か否かにより、ＬＥＤ表示モードと、ＬＣＤ表示モードとを自動的に切り替えるようにしたが、この第２の例では、バッテリー４０の電池容量に応じて、ＬＥＤ表示モードと、ＬＣＤ表示モードとを自動的に切り替えるようにする。この第２の例における自動切替モードの処理動作例を、図１２のフローチャートに示す。
【０１４１】
すなわち、この第２の例においては、図１１のフローチャートにおけるステップＳ４１に代わって、バッテリー４０の電池残量が所定値以上であるか否かにより、電池残量が十分であるか否かを判別するステップＳ５１を設ける。
【０１４２】
そして、ステップＳ５１で、電池残量が所定値以上であって、電池残量が十分であると判別したときには、ＣＰＵ３１０は、前述したＬＥＤ表示モードの場合のステップＳ４２〜ステップＳ４５を実行するようにする。
【０１４３】
また、ステップＳ５１で、電池残量が所定値よりも少なくなり、電池残量が十分ではなくなった判別したときには、ＣＰＵ３１０は、ＬＣＤ表示モードの場合のステップＳ４６〜ステップＳ４９を実行するようにする。
【０１４４】
この第２の例の場合には、バッテリー４０の電池残量が少なくなると、自動的にＬＣＤ表示モードとなって、バッテリーの消耗を少なくして、使用時間を長くするように省電力化することができる。
【０１４５】
［自動切替モードの第３の例］
この第３の例の自動切替モードにおいては、パケット電話機２がオフフック待機状態であるか否かにより、ＬＥＤ表示モードと、ＬＣＤ表示モードとを自動的に切り替えるようにする。ここで、オフフック待機状態とは、パケット電話機２で、回線が対応して設定されているフレキシブルキー６１のいずれも選択されていない不使用状態で、主装置部１からの着信通知などの待機状態となっている状態をいう。この第３の例における自動切替モードの処理動作例を、図１３のフローチャートに示す。
【０１４６】
すなわち、この第３の例においては、図１１のフローチャートにおけるステップＳ４１に代わって、パケット電話機２がオフフック待機状態であるか否かを判別するステップＳ６１を設ける。
【０１４７】
そして、ステップＳ６１で、オフフック待機状態であると判別したときには、ＣＰＵ３１０は、前述したＬＥＤ表示モードの場合のステップＳ４２〜ステップＳ４５を実行するようにする。
【０１４８】
また、ステップＳ６１で、オフフック待機状態ではなくなった判別したときには、ＣＰＵ３１０は、ＬＣＤ表示モードの場合のステップＳ４６〜ステップＳ４９を実行するようにする。
【０１４９】
オフフック状態での通信中（通話中を含む）は、自分がパケット電話機２を使用しているので、電力を消費しても、その消費の原因がはっきりしているので、それを把握して気にはならないと考えられる。気になるのは、使用していないときに他のパケット電話機で通話中の場合の表示（他使用中表示）をＬＥＤ６２を用いて表示することによって、知らないうちにバッテリーの電池残量がなくなってしまうことである。
【０１５０】
この第３の例の場合には、オフフック待機状態になると、自動的にＬＣＤ表示モードとなって、バッテリーの消耗を少なくして、使用時間を長くするように省電力化することができる。
【０１５１】
［自動切替モードの第４の例］
この第４の例の自動切替モードは、前述した第１の例、第２の例、第３の例を組み合わせた例である。組み合わせは、第１の例と第２の例、第１の例と第３の例、第２の例と第３の例、第１の例〜第３の例のすべてを組み合わせた例のいずれであっても良い。
【０１５２】
図１４は、第１の例〜第３の例のすべてを組み合わせ場合の一例を示すもので、この例では、ステップＳ２１で、自動切替モードが設定されていると判別したときには、ＣＰＵ３１０は、先ず、パケット電話機２は充電中であるか否か判別する（ステップＳ７１）。充電中であると判別したときには、ＣＰＵ３１０は、第１の例と同様に、前述したＬＥＤ表示モードの場合のステップＳ４２〜ステップＳ４５を実行するようにする。
【０１５３】
また、ステップＳ７１で、充電中ではないと判別したときには、ＣＰＵ３１０は、電池残量は十分であるか否かを電池残量が所定値以上であるか否かにより判別する（ステップＳ７２）。
【０１５４】
そして、ステップＳ７２で、電池残量は十分ではないと判別したときには、ＣＰＵ３１０は、ＬＣＤ表示モードの場合のステップＳ４６〜ステップＳ４９を実行するようにする。また、ステップＳ７２で、電池残量は十分であると判別したときには、オフフック待機状態であるか否か判別する（ステップＳ７３）。
【０１５５】
そして、ステップＳ７３で、オフフック待機状態ではないと判別したときには、ＣＰＵ３１０は、前述したＬＥＤ表示モードの場合のステップＳ４２〜ステップＳ４５を実行するようにする。また、ステップＳ７３で、オフフック待機状態であると判別したときには、ＣＰＵ３１０は、ＬＣＤ表示モードの場合のステップＳ４６〜ステップＳ４９を実行するようにする。
【０１５６】
そして、この例では、ＣＰＵ３１０は、ステップＳ４５およびステップＳ４９で表示モードが切り替えられていないと判別したときには、ステップＳ７１に戻り、このステップＳ７１以降の処理を実行するようにする。
【０１５７】
［他の実施形態および変形例］
なお、変化後の回線状態に応じて予め定められたＬＣＤ表示モードにおけるキー表示シンボルの表示変化の態様としては、上述の例のフレキシブルキーに対応するキー表示シンボルの点灯表示、点滅表示に限らず、ＬＣＤ３１５としてカラーＬＣＤを用いる場合には、キー表示シンボルの色を、キー表示シンボルの点灯表示、点滅表示に代えて、あるいはキー表示シンボルの点灯表示、点滅表示に加えて、回線状態に応じて変化させるようにしてもよい。
【０１５８】
また、上述の実施の形態では、ＬＣＤ画面３１５Ｄに表示するキー表示シンボル６３は、ユーザによるフレキシブルキー６１と対応が容易につくように、フレキシブルキー６１と同様の形状の図形を用いるようにして、本体６３１と枠６３２とを用いた点灯、点滅、などの表示態様により、回線状態を表示するようにしたが、キー表示シンボルは、キー形状のものではなく、回線状態に応じた、キャラクタ表示とすることもできる。
【０１５９】
図１５にキャラクタ表示の一例を示す。この例は、４個のフレキシブルキーに対応するＬＣＤ画面３１５Ｄのキー表示シンボルとして、番号「１」のフレキシブルキーに対応した回線状態は「通話中」、番号「２」のフレキシブルキーに対応した回線状態は「着信中」、番号「３」および「４」のフレキシブルキーに対応した回線状態は「待機状態」を、それぞれキャラクタ表示により表しているものである。
【０１６０】
また、上述の実施形態では、フレキシブルキー６１内にＬＥＤが内包されるように構成したが、ＬＥＤなどの発光素子を、フレキシブルキー６１の近傍に配置するようにしても勿論よい。
【０１６１】
また、以上の実施形態のビジネスホンシステムでは、通話のみを行なう場合であったが、パケット電話機に電子メールの機能を設けて、電子メールの通信を行なうようにすることもできる。
【０１６２】
なお、表示素子としては、ＬＣＤに限らず、有機ＥＬ（Ｅｌｅｃｔｒｏｎｉｃ  Ｌｕｍｍｉｎｅｓｃｅｎｃｅ）ディスプレイ、ＦＥＤ（Ｆｉｅｌｄ  Ｅｍｍｉｓｓｉｏｎ  Ｄｉｓｐｌａｙ）など、他のフラットディスプレイパネルを用いることができることは言うまでもない。
【０１６３】
また、発光素子としては、ＬＥＤに限られるものではないこと言うまでもない。
【図面の簡単な説明】
【０１６４】
【図１】この発明による無線通信端末の実施形態を、パケット電話機として使用するビジネスホンシステムの構成例を示すブロック図である。
【図２】図１のシステムに用いられる無線ＬＡＮ用アクセスポイント装置の構成例を示すブロック図である。
【図３】図１のシステムに用いられる無線ＬＡＮ用端末がステーション装置部の構成例を示すブロック図である。
【図４】この発明による無線通信端末の実施形態としてのパケット電話機の要部の構成例を示すブロック図である。
【図５】この発明による無線通信端末の実施形態としてのパケット電話機の、概観構成例を示す図である。
【図６】この発明による無線通信端末の実施形態としてのパケット電話機における表示画面上での回線状態の表示態様を説明するために用いる図である。
【図７】この発明による無線通信端末の実施形態としてのパケット電話機における表示画面上での回線状態の表示態様を説明するために用いる図である。
【図８】この発明による無線通信端末の実施形態としてのパケット電話機における表示モード設定手順を説明するためのフローチャートを示す図である。
【図９】図１のシステムの主装置部のサーバ装置の動作説明のためのフローチャートを示す図である。
【図１０】この発明による無線通信端末の実施形態としてのパケット電話機の動作説明のためのフローチャートの一部を示す図である。
【図１１】この発明による無線通信端末の実施形態としてのパケット電話機の動作説明のためのフローチャートの一部を示す図である。
【図１２】この発明による無線通信端末の実施形態としてのパケット電話機の要部の他の例の動作説明のためのフローチャートの一部を示す図である。
【図１３】この発明による無線通信端末の実施形態としてのパケット電話機の要部の他の例の動作説明のためのフローチャートの一部を示す図である。
【図１４】この発明による無線通信端末の実施形態としてのパケット電話機の要部の他の例の動作説明のためのフローチャートの一部を示す図である。
【図１５】この発明による無線通信端末の実施形態としてのパケット電話機の要部の他の例を説明するための図である。
【符号の説明】
【０１６５】
１…主装置部、２…パケット電話機、３…無線ＬＡＮ、４…外部ネットワーク、２０…無線ＬＡＮ用端末側ステーション装置部、３０…電話機部、４０…バッテリー、３２７…回線状態記憶保持部
【図１】
2006270484.tif 000003
【図２】
2006270484.tif 000004
【図３】
2006270484.tif 000005
【図４】
2006270484.tif 000006
【図５】
2006270484.tif 000007
【図６】
2006270484.tif 000008
【図７】
2006270484.tif 000009
【図８】
2006270484.tif 000010
【図９】
2006270484.tif 000011
【図１０】
2006270484.tif 000012
【図１１】
2006270484.tif 000013
【図１２】
2006270484.tif 000014
【図１３】
2006270484.tif 000015
【図１４】
2006270484.tif 000016
【図１５】
2006270484.tif 000017